(57)【要約】【課題】  原稿カバー開放時に、原稿搬送装置を画像形成装置に対し確実に固定し、原稿搬送装置の意図しない開放等による原稿カバーの壁等への接触を避け、さらには原稿カバーの損傷を防ぐことを目的としている。【解決手段】画像形成装置と原稿搬送装置が閉状態で固定するロック手段を備えることにより、原稿カバー開放時に画像形成装置に対する原稿搬送装置の開放が確実にロックされ、意図しない原稿搬送装置の開放等による原稿カバーの壁等への接触を防止することができる。【選択図】  図４
2011011829.tif 000002
【特許請求の範囲】
【請求項１】
画像形成装置にヒンジ部を介して開閉可能に設けられた原稿搬送装置において、
前記原稿搬送装置上面に備えられた原稿を送りだす原稿搬送部と、該原稿搬送部上面に開閉可能に設けられた原稿カバーとを備え、
前記原稿カバーが前記原稿搬送部に対し開状態の時、画像形成装置と原稿搬送装置が閉状態でロックされるロック機構を備えることを特徴とする原稿搬送装置。
【請求項２】
前記ロック機構が、前記原稿カバーの開閉に連動して動作し、前記ヒンジ部の回転をロックする係合部材を備え、
前記原稿カバーの閉状態においては、前記係合部材が前記ヒンジ部と非係合状態となって該ヒンジ部の回動を許容することにより原稿搬送装置の開閉を可能とし、
前記原稿カバーの開状態においては、前記係合部材が前記ヒンジ部と係合状態となって該ヒンジ部の回動をロックすることにより、原稿搬送装置を閉状態でロックすることを特徴とする請求項１記載の原稿搬送装置。
【請求項３】
前記ヒンジ部が、画像形成装置の上面に固定された固定部と、該固定部に対して回動可能に原稿搬送装置に固定された可動部とからなり、
前記固定部と前記可動部には夫々、対向する位置に係合穴が設けられており、
前記係合部材は、リンク部材と、基端部が前記リンク部材を介して、前記原稿カバーに連結し、先端部が前記係合穴に対して挿脱される係合ピンとからなり、
前記原稿カバーを所定角度に開放した時に、前記リンク部材を介して前記係合ピンの先端部を前記係合穴に挿入させることにより、原稿搬送装置の開閉がロックされることを特徴とする請求項２記載の原稿搬送装置。
【請求項４】
前記固定部の係合穴が前記可動部の回動軌跡に沿った円弧状スリットであり、前記円弧状スリットが前記係合ピンの移動を所定範囲で規制することにより、原稿カバー開状態において、原稿搬送装置が所定の開放角度でロックされることを特徴とする請求項３記載の原稿搬送装置。
【発明の詳細な説明】
【技術分野】
【０００１】
本発明は、原稿カバーの開状態の時に画像形成装置に対する原稿搬送装置の開閉をロックするロック機構を有することを特徴とする原稿搬送装置に関する。
【背景技術】
【０００２】
一般的に複写装置等は、本体である画像形成装置に対し開閉自在に構成される原稿搬送装置を有し、この原稿搬送装置は、原稿を載置する原稿搬送部を組み合わせているものが多く用いられている。
【０００３】
従って、原稿搬送装置は、画像形成装置に対して開閉自在に設けられるだけでなく、原稿の搬送時に原稿を固定するための原稿カバーについても原稿搬送装置に対して開閉自在に備えられる。しかしながら、原稿カバーや原稿搬送装置が自由に開閉できると、これら装置の不意の開閉による原稿搬送のミスや原稿搬送装置の壁等への接触による損傷を招くことがある。そこでこれまで以下のような取り組みがなされてきた。
【０００４】
原稿を読み取る原稿読み取り部と、原稿読み取り部に移送された原稿を押える原稿カバーを有する原稿搬送部とを備える複写装置等の原稿搬送装置は、原稿搬送部によって原稿読み取り部が完全に閉鎖されないことに起因する紙詰まり等の原稿搬送ミスを防止するために、原稿搬送部の原稿読み取り部に対する開閉状態を検出するための開閉検出手段を備えている場合がある。
この種の技術には、原稿搬送部の原稿押え手段に対し、原稿読み取り部に備えられた露光ランプから光を照射し、反射光のレベルを読み取ることで原稿搬送部の原稿読み取り部に対する開閉状態を検出する開閉検出手段を備え、開閉検出手段で検出された開閉状態に基づいて原稿搬送の可否を決定する原稿搬送装置がある（特許文献１参照）。
【０００５】
また、原稿読み取り部を有する原稿搬送装置は、原稿搬送トレイにセットした原稿を原稿読み取り部に搬送して、読み取られた原稿が原稿排出トレイに排出される。そのため、一般的に原稿供給トレイは、排出された原稿を容易に取り出せるように回動自在に設けられている。しかし、原稿搬送トレイが回動自在に取り付けられると原稿搬送トレイが作業の妨げとなったり、損傷を招いたりすることがある。そこで原稿搬送トレイに原稿搬送部の開状態の時に原稿搬送部が回動しないように、原稿搬送部または原稿搬送部のいずれか一方に磁性体からなる支持体を設け、他方に磁石を設けるという保持機構が開示されている（特許文献２参照）。
【先行技術文献】
【特許文献】
【０００６】
【特許文献１】特開２００５−２１０６２４号公報
【特許文献２】特開２００５−３４７９４０号公報
【発明の概要】
【発明が解決しようとする課題】
【０００７】
しかしながらこれら従来の保持機構は、原稿搬送ミスの防止および原稿搬送トレイの回動を防止するための発明であり、これら発明は、原稿カバーの開状態の時に原稿搬送装置の意図しない開放により原稿カバーが背面の壁等に接触するといった問題を解決していない。
そこで本発明は、原稿カバー開状態の時に原稿搬送装置を画像形成装置に対し確実に固定し、原稿搬送装置の意図しない開放等による原稿カバーの壁等への接触を避け、さらには原稿カバーの損傷を防ぐことを目的としている。
【課題を解決するための手段】
【０００８】
この目的を達成するために、本発明は以下の構成からなる。
請求項１に係る発明は、画像形成装置にヒンジ部を介して開閉可能に設けられた原稿搬送装置において、前記原稿搬送装置上面に備えられた原稿を送りだす原稿搬送部と、該原稿搬送部上面に開閉可能に設けられた原稿カバーとを備え、前記原稿カバーが前記原稿搬送部に対し開状態の時、画像形成装置と原稿搬送装置が閉状態でロックされるロック機構を備える。
【０００９】
請求項２に係る発明は、前記ロック機構が、前記原稿カバーの開閉に連動して動作し、前記ヒンジ部の回転をロックする係合部材を備え、前記原稿カバーの閉状態においては、前記係合部材が前記ヒンジ部と非係合状態となって該ヒンジ部の回動を許容することにより原稿搬送装置の開閉を可能とし、前記原稿カバーの開状態においては、前記係合部材が前記ヒンジ部と係合状態となって該ヒンジ部の回動をロックすることにより、原稿搬送装置を閉状態でロックする機構を備える。
【００１０】
請求項３に係る発明は、前記ヒンジ部が、画像形成装置の上面に固定された固定部と、該固定部に対して回動可能に原稿搬送装置に固定された可動部とからなり、前記固定部と前記可動部には夫々、対向する位置に係合穴が設けられており、前記係合部材は、リンク部材と、基端部が前記リンク部材を介して、前記原稿カバーに連結し、先端部が前記係合穴に対して挿脱される係合ピンとからなり、前記原稿カバーを所定角度に開放した時に、前記リンク部材を介して前記係合ピンの先端部を前記係合穴に挿入させることにより、原稿搬送装置の開閉がロックする機構を備える。
【００１１】
請求項４に係る発明は、前記固定部の係合穴が前記可動部の回動軌跡に沿った円弧状スリットであり、前記円弧状スリットが前記係合ピンの移動を所定範囲で規制することにより、原稿カバー開状態において、原稿搬送装置が所定の開放角度でロックする機構を備える。
【発明の効果】
【００１２】
請求項１に係る発明の構成によれば、画像形成装置と原稿搬送装置を閉状態でロックするロック手段を備えている。そのロック手段は、原稿カバーが開状態となった時に画像形成装置に対する原稿搬送装置の開閉をロックすることができる。
従って、原稿カバー開状態の時に画像形成装置に対する原稿搬送装置の開放がロックされ、意図しない原稿搬送装置の開放等による原稿カバーの壁等への接触を防止し、原稿カバーを故障や損傷から守ることができる。
【００１３】
請求項２に係る発明の構成によれば、ロック手段が原稿カバーの開閉に連動し、原稿カバーが開状態となった時に画像形成装置に対する原稿搬送装置の開閉がロックされることになる。
従ってロック機構を作動させるための特別な動作を必要とせず、原稿カバー開状態の時に画像形成装置に対する原稿搬送装置の開放が確実にロックされ、意図しない原稿搬送装置の開放等による原稿カバーの壁等への接触を防止し、原稿カバーを故障や損傷から守ることができる。
【００１４】
請求項３に係る発明の構成によれば、原稿カバーの開放が所定角度となった時に、係合ピンがヒンジ部の可動部と固定部を連結し固定することにより原稿搬送装置がロックされる。
従って、原稿カバーの開状態の時に画像形成装置に対する原稿搬送装置がロックされることから、意図しない原稿搬送装置の開放を防止し、原稿カバーを故障や損傷から守ることができる。
さらに、原稿カバーの開状態の角度が所定範囲になった時点で係合ピンがヒンジ部の可動部及び固定部を連結し原稿搬送装置を確実に固定する。この機構は、原稿カバーの開放操作時に有効な構成である。つまり、原稿カバー開放操作時に、原稿搬送装置に力がかかることが多く、原稿搬送装置が不意に開放することがある。このような場合でも本発明の構成により原稿搬送装置の開放を確実に防止することが可能である。
【００１５】
請求項４に係る発明の構成によれば、ヒンジ部の固定部の係合穴が係合ピンの回動軌跡に沿った円弧状スリットとされている。この構成により、原稿カバーの開状態の時に係合ピンがヒンジ部の固定部と連結していたとしても、ヒンジ部の固定部係合穴のスリット範囲内で原稿搬送装置を開閉することができる。従って、原稿カバーが開状態であっても、画像形成装置上の原稿を取り除いたり、あるいは原稿を入れたりすることができる。
【図面の簡単な説明】
【００１６】
【図１】本発明に係る原稿搬送装置概略図である。
【図２】本発明に係る原稿搬送装置及び画像形成装置の概略図である。
【図３】本発明に係る原稿搬送装置の閉状態におけるヒンジ部と係合部材の非係合状態図である。
【図４】本発明に係る原稿搬送装置の開状態におけるヒンジ部と係合部材の係合状態図である。
【発明を実施するための形態】
【００１７】
図１は本発明に係る原稿搬送装置を備えた複写機の斜視図、図２は原稿カバーを開放した状態を示す原稿搬送装置の斜視図、図３は原稿カバーが閉じた状態での原稿搬送装置のロック機構の状態を示した側面図、図４は原稿カバーが開いた状態での原稿搬送装置のロック機構の状態を示した側面図である。尚、図３、４において原稿搬送装置本体は省略している。
ここで本明細書中、正面側とは装置の操作者が位置する側、背面側とは正面と反対する側、右側とは操作者の右側、左側とは操作者の左側を指す。
なお、以下に本発明に係る原稿搬送装置を備えた装置として、コピー機能を備えた複写機について説明するが、本発明に係る装置はこれに限定されるものではない。
【００１８】
まず、本発明に係る原稿搬送装置１を備えた複写機の実施形態について説明する。
図１に示されるように複写機は、本発明に係る原稿搬送装置１と、原稿搬送装置１の下方向に位置する本体部である画像形成装置２と、これら装置１、２を連結するヒンジ部３により構成される。そして、ヒンジ部３は、画像形成装置２上面の背面側に固定され、画像形成装置２に対して原稿搬送装置１を開閉自在に固定している。
原稿搬送装置１の詳細な構成は、図２に示されている。原稿搬送装置１は、載置された原稿を搬送ローラ等によって搬送する原稿搬送部４と、搬送された原稿の向きを偏向させる偏向部５と、原稿搬送部４の上部搬送面を形成し、搬送中の原稿をガイドする原稿カバー６を備えている。
原稿搬送部４は、図２に示すように原稿搬送装置１の左側上面に備えられている。また、原稿カバー６は、原稿搬送部４の左側上面に開閉可能に設置されている。
この原稿カバー６が開閉可能に設けられている理由は、原稿搬送中に原稿ジャム等発生した際に、原稿カバーを開放して原稿を取除く必要があるためである。
【００１９】
本発明に係る原稿搬送装置は、原稿カバー６が開状態の時に、画像形成装置２と原稿搬送装置１を閉状態でロックするロック機構を備えるものである。
このロック機構としては、原稿カバー６の開閉時に連動して動く係合部材８と係合部材８により回動をロックされるヒンジ部３により構成されるものが挙げられる（図３参照）。
つまり、原稿カバー６が閉状態の場合は、係合部材８がヒンジ部３と係合せずヒンジ部３が回動可能となる。従って原稿搬送装置１は画像形成装置２に対して開閉することができる。一方、原稿カバー６の開状態の時には、係合部材８が原稿カバー６の動きに連動してヒンジ部３と係合し、ヒンジ部３が固定される。よって、原稿搬送装置１は画像形成装置２に対してロックされることとなる。
【００２０】
図３、４に基づいてロック機構の構成を、より詳細に説明する。
本実施例のロック機構は、画像形成装置のヒンジ部３が配設されている装置背面に配設されている。このロック機構は、係合部材８とヒンジ部３より構成されており、前記係合部材８は原稿カバー６より延びるリンク部材８ａ、リンク部材８ａと接続するリンク部材８ｂ及び係合ピン８ｃから構成され、リンク部材８ａ及び８ｂで、係合ピン８ｃ及び原稿カバー６を連結している。
ヒンジ部３は、固定部３ａと可動部３ｂとからなる。固定部３ａは、本体である画像形成装置の上面（画像読み取り部）の背面側に固定される。また可動部３ｂは、固定部３ａに対して回動自在に取り付けられ、さらに原稿搬送装置側面の背面側に固定される。従って、図１に示すように原稿搬送装置１は、ヒンジ部３を介して画像形成装置２に対して開閉自在に取り付けられることとなる。この可動部３ｂの原稿搬送装置１に対する固定箇所は、原稿搬送装置の外部であっても内部であってもよい。また、ヒンジ部３の可動部３ｂと固定部３ａには、係合穴７がそれぞれ設けられ、これら可動部３ｂの係合穴７と固定部３ａの係合穴７は対向している。
【００２１】
リンク部材８ａの基端部は、原稿カバー６の開閉時における回動支軸９部分に回転可能に支持され、原稿搬送装置の下方向に延びている。このリンク部材８ａの先端にリンク部材８ｂの一端が回動可能に接続されており、このリンク部材８ｂは原稿搬送装置１の背面側に沿って延設されている。さらにリンク部材８ｂの他端は、ヒンジ部３が位置する方向に延びる係合ピン８ｃの一端と回動可能に接続される。
従って図３及び図４に示すように、原稿カバー６の開閉に連動して、原稿カバー６より延びるリンク部材８ａの先端部が回動してリンク部材８ｂを進退動作させ、さらにリンク部材８ｂを介して係合ピン８ｃの先端部をヒンジ部３の固定部３ａ及び可動部３ｂに設けられた係合穴７に対して挿脱させることができることとなる。
従って図４に示すように原稿カバー６の開状態の時には、前記係合ピン８ｃがヒンジ部３の可動部３ｂ及び固定部３ａの前記係合穴７と連結することとなり、画像形成装置２に対して原稿搬送装置１が確実にロックされることとなる。
【００２２】
前記ヒンジ部３の固定部の係合穴７は、係合ピン８ｃの断面形状と合致する円形であってもよいが、前記原稿搬送装置が開閉する際の軌跡に沿うように、円弧状に形成してもよい。
この係合穴を円弧状のスリットに形成することにより、可動部から固定部に挿入された係合ピンが、固定部係合穴のスリット範囲内で移動を許容されることになる。従って原稿カバー開状態の時であっても一定の開放角度（円弧状のスリットの範囲内）で、原稿搬送装置を開閉することができる。また前記円弧状のスリットの範囲は、予め決められたものであってもよいが、好ましくは、係合ピンの回動の範囲を可変させるものであることが望ましい。この可変機構により原稿カバー開状態時の原稿搬送装置の開放角度を調節することができ、複写機の設置場所に応じた原稿搬送装置の開閉範囲を設定することができる。
【００２３】
原稿搬送装置の開閉をロックするロック機構は、上記実施形態に示されるようにヒンジ部と係合ピンにより固定される構造に限定されるものではなく、別の形態のロック機構を設けてもよい。
別の実施形態の一例としては、画像形成装置の上面に下方に向けて孔を設けて、原稿カバーの開閉時に、リンク部材８ａに取り付けられた係合ピンがこの孔に対して上下方向に出退するものが挙げられる。尚、前記画像形成装置の上面から下方に設ける孔は、垂直の孔でも曲った孔でもよく、さらに原稿搬送装置の固定を安定化させるために係合ピンが孔内でロックされる機構を備えるものであってもよい。上記いずれの構成を用いても本発明の目的を達成することができる。
【符号の説明】
【００２４】
１・・・原稿搬送装置
２・・・画像形成装置
３・・・ヒンジ部
３ａ・・固定部
３ｂ・・可動部
４・・・原稿搬送部
５・・・偏向手段
６・・・原稿カバー
７・・・係合穴
８・・・係合部材
８ａ・・リンク部材
８ｂ・・リンク部材
８ｃ・・係合ピン
９・・・回動支軸
【図１】
2011011829.tif 000003
【図２】
2011011829.tif 000004
【図３】
2011011829.tif 000005
【図４】
2011011829.tif 000006